(57)【要約】【課題】複数の画像データの中から写真プリントの作成などに利用する画像データを簡単かつ確実に選択させる表示制御プログラム及び制御装置の提供。【解決手段】画像データを選択させるための画面を表示させる際に、第１のコマ数（好ましくは画像データの総数）の画像が所定の配列順序で表示された第１の画像選択画面と、第１のコマ数よりも少ない第２のコマ数の画像が表示された第２の画像選択画面とを順次又は並べて表示し、また、第２の画像選択画面の各々の画像を第１の画像選択画面と同じ配列順序又は第１の画像選択画面における画像の配置を維持して表示したり、第１画像選択画面や第２の画像選択画面を表示する際に、各々の画像に対応付けて、表示やプリント作成の履歴情報に基づく頻度を識別可能に表示したり、特定の画像に対応付けて、該画像の元となる画像ファイルの日時情報を表示する。【選択図】図２３
2006195804.tif 000002
【特許請求の範囲】
【請求項１】
コンピュータを、
記憶手段又は記録媒体から読み取った複数の画像データの中から特定の処理に利用する画像データを選択させるための画面を表示手段に表示させる際に、少なくとも、第１のコマ数の画像が予め定められた配列順序で表示される第１の画像選択画面と、前記第１のコマ数よりも少ない第２のコマ数の画像が表示される第２の画像選択画面とを順次表示させる表示制御手段、として機能させることを特徴とする表示制御プログラム。
【請求項２】
コンピュータを、
記憶手段又は記録媒体から読み取った複数の画像データの中から特定の処理に利用する画像データを選択させるための画面を表示手段に表示させる際に、少なくとも、第１のコマ数の画像が予め定められた配列順序で表示される第１の画像選択画面と、前記第１のコマ数よりも少ない第２のコマ数の画像が表示される第２の画像選択画面とを一つの画面の分割された各々の領域に並べて表示させる表示制御手段、として機能させることを特徴とする表示制御プログラム。
【請求項３】
前記表示制御手段では、前記第１の画像選択画面に、読み取った前記複数の画像データの全ての画像を表示させることを特徴とする請求項１又は２に記載の表示制御プログラム。
【請求項４】
前記表示制御手段では、前記第２の画像選択画面に、前記第１の画像選択画面で選択された画像及びその前後の画像で構成される前記第２のコマ数分の前記画像を、前記第１の画像選択画面と同じ配列順序に従って表示させることを特徴とする請求項１乃至３のいずれか一に記載の表示制御プログラム。
【請求項５】
前記表示制御手段では、前記第２の画像選択画面に、前記第１の画像選択画面で選択された画像及びその周囲の領域に表示される画像で構成される前記第２のコマ数分の前記画像を、前記第１の画像選択画面の画像の配置を維持して表示させることを特徴とする請求項１乃至３のいずれか一に記載の表示制御プログラム。
【請求項６】
コンピュータを、
各々の前記画像データに対する、前記表示手段に表示された履歴又は写真プリントを作成した履歴を示す履歴情報を生成する履歴情報生成手段として機能させ、
前記表示制御手段では、前記第１の画像選択画面又は前記第２の画像選択画面の少なくとも一方の各々の画像に対応付けて、前記履歴情報に基づいて特定される頻度情報を識別可能に表示させることを特徴とする請求項１乃至５のいずれか一に記載の表示制御プログラム。
【請求項７】
コンピュータを、
前記複数の画像データの各々に対して、該画像データに関連する日時情報を取得する日時情報取得手段として機能させ、
前記表示制御手段では、前記第１の画像選択画面又は前記第２の画像選択画面の少なくとも一方の特定の画像に対応付けて、該画像の元となる画像データから取得した前記日付情報を表示させることを特徴とする請求項１乃至５のいずれか一に記載の表示制御プログラム。
【請求項８】
記憶手段又は記録媒体から複数の画像データを読み取る手段と、
前記複数の画像データの中から特定の処理に利用する画像データを選択させるための画面を表示手段に表示させる表示制御手段とを備える制御装置において、
前記表示制御手段では、少なくとも、第１のコマ数の画像が予め定められた配列順序で表示される第１の画像選択画面と、前記第１のコマ数よりも少ない第２のコマ数の画像が表示される第２の画像選択画面とを順次表示させることを特徴とする制御装置。
【請求項９】
記憶手段又は記録媒体から複数の画像データを読み取る手段と、
前記複数の画像データの中から特定の処理に利用する画像データを選択させるための画面を表示手段に表示させる表示制御手段とを備える制御装置において、
前記表示制御手段では、少なくとも、第１のコマ数の画像が予め定められた配列順序で表示される第１の画像選択画面と、前記第１のコマ数よりも少ない第２のコマ数の画像が表示される第２の画像選択画面とを一つの画面の分割された各々の領域に並べて表示させることを特徴とする制御装置。
【請求項１０】
前記表示制御手段では、前記第１の画像選択画面に、読み取った前記複数の画像データの全ての画像を表示させることを特徴とする請求項８又は９に記載の制御装置。
【請求項１１】
前記表示制御手段では、前記第２の画像選択画面に、前記第１の画像選択画面で選択された画像及びその前後の画像で構成される前記第２のコマ数分の前記画像を、前記第１の画像選択画面と同じ配列順序に従って表示させることを特徴とする請求項８乃至１０のいずれか一に記載の制御装置。
【請求項１２】
前記表示制御手段では、前記第２の画像選択画面に、前記第１の画像選択画面で選択された画像及びその周囲の領域に表示される画像で構成される前記第２のコマ数分の前記画像を、前記第１の画像選択画面の画像の配置を維持して表示させることを特徴とする請求項８乃至１０のいずれか一に記載の制御装置。
【請求項１３】
更に、各々の前記画像データに対する、前記表示手段に表示された履歴又は写真プリントを作成した履歴を示す履歴情報を生成する履歴情報生成手段を備え、
前記第１の画像選択画面又は前記第２の画像選択画面の少なくとも一方の各々の画像に対応付けて、前記履歴情報に基づいて特定される頻度情報を識別可能に表示させることを特徴とする請求項８乃至１２のいずれか一に記載の制御装置。
【請求項１４】
更に、前記複数の画像データの各々に対して、該画像データに関連する日時情報を取得する日時情報取得手段を備え、
前記表示制御手段では、前記第１の画像選択画面又は前記第２の画像選択画面の少なくとも一方の特定の画像に対応付けて、該画像の元となる画像データから取得した前記日付情報を表示させることを特徴とする請求項８乃至１２のいずれか一に記載の制御装置。
【発明の詳細な説明】
【技術分野】
【０００１】
本発明は、特定の処理に利用される画像データを選択させるための制御を行う表示制御プログラム及び制御装置に関する。
【背景技術】
【０００２】
近年、写真画像に関する様々なサービスが提供されている。例えば、フィルムカメラで写真を撮影した場合、ミニラボ等の写真店やコンビニエンスストア等の注文店に撮影済みのネガフィルムを持ち込むと、写真店ではネガフィルムを現像した後、写真画像をスキャナ等で読み取り、読み取った画像データをＣＤ−Ｒ、ＤＶＤ−Ｒ等の記録媒体に書き込んでユーザに提供するといったサービスが行われている。
【０００３】
また、デジタルカメラで写真を撮影した場合、デジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むこともできる（上記無人端末に関しては、例えば、下記特許文献１参照）。
【０００４】
また、画像データを記録媒体やハードディスクに書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データをコンピュータ機器のハードディスクや記録媒体に書き込むこともできる。
【０００５】
【特許文献１】特開平１１−８８１７号公報（第３−４頁、第１図）
【発明の開示】
【発明が解決しようとする課題】
【０００６】
上記サービスを利用することにより、ネガフィルムから読み取った画像データやデジタルカメラ、メディアから読み取った画像データをコンピュータ機器のハードディスクや記録媒体に記録することができ、記録された画像データを用いて写真プリントの作成などを行うことができる。その場合は、画像選択画面を用いてハードディスクや記録媒体に記録された画像データの中から写真プリントの作成に利用する画像データを選択することになるが、従来の端末やコンピュータ機器などの制御装置では、画像選択画面には予め定められた一定のコマ数（例えば、横５コマ、縦４コマの２０コマ）の画像が表示され、画面をスクロールしたり、ページをめくることによって対象となる画像を探し出していたため、所望の画像データの選択に時間がかかるという問題があった。
【０００７】
特に、複数の画像データの画像が撮影日時の昇順で配列されて表示される場合は、撮影日時が古い画像が先に表示されるため、例えば、多数の画像データの中から最近、撮影した画像データを選択するためには何度もスクロール操作やページめくり操作を繰り返さなければならず、所望の画像データの選択に更に時間がかかってしまう。
【０００８】
また、従来の制御装置では、画像が配列されて表示されるだけであるため、例えば、多数の画像データの中から表示の頻度やプリント作成の頻度の高い画像データを選択したり、撮影日時などを参照して所望の画像データを選択することができず、簡単に所望の画像データを選択することができないという問題があった。
【０００９】
本発明は、上記問題点に鑑みてなされたものであって、その主たる目的は、記憶手段や記録媒体から読み取った複数の画像データの中から、写真プリントの作成などの特定の処理に利用する画像データを簡単かつ確実に選択できるようにする表示制御プログラム及び制御装置を提供することにある。
【課題を解決するための手段】
【００１０】
上記目的を達成するため、本発明の表示制御プログラムは、コンピュータを、記憶手段又は記録媒体から読み取った複数の画像データの中から特定の処理に利用する画像データを選択させるための画面を表示手段に表示させる際に、少なくとも、第１のコマ数の画像が予め定められた配列順序で表示される第１の画像選択画面と、前記第１のコマ数よりも少ない第２のコマ数の画像が表示される第２の画像選択画面とを順次表示させる表示制御手段、として機能させるものである。
【００１１】
また、本発明の表示制御プログラムは、コンピュータを、記憶手段又は記録媒体から読み取った複数の画像データの中から特定の処理に利用する画像データを選択させるための画面を表示手段に表示させる際に、少なくとも、第１のコマ数の画像が予め定められた配列順序で表示される第１の画像選択画面と、前記第１のコマ数よりも少ない第２のコマ数の画像が表示される第２の画像選択画面とを一つの画面の分割された各々の領域に並べて表示させる表示制御手段、として機能させるものである。
【００１２】
本発明においては、前記表示制御手段では、前記第１の画像選択画面に、読み取った前記複数の画像データの全ての画像を表示させる構成とすることができる。
【００１３】
また、本発明においては、前記表示制御手段では、前記第２の画像選択画面に、前記第１の画像選択画面で選択された画像及びその前後の画像で構成される前記第２のコマ数分の前記画像を、前記第１の画像選択画面と同じ配列順序に従って表示させる構成とすることができる。
【００１４】
また、本発明においては、前記表示制御手段では、前記第２の画像選択画面に、前記第１の画像選択画面で選択された画像及びその周囲の領域に表示される画像で構成される前記第２のコマ数分の前記画像を、前記第１の画像選択画面の画像の配置を維持して表示させる構成とすることもできる。
【００１５】
また、本発明においては、コンピュータを、各々の前記画像データに対する、前記表示手段に表示された履歴又は写真プリントを作成した履歴を示す履歴情報を生成する履歴情報生成手段として機能させ、前記表示制御手段では、前記第１の画像選択画面又は前記第２の画像選択画面の少なくとも一方の各々の画像に対応付けて、前記履歴情報に基づいて特定される頻度情報を識別可能に表示させる構成とすることもできる。
【００１６】
また、本発明においては、コンピュータを、前記複数の画像データの各々に対して、該画像データに関連する日時情報を取得する日時情報取得手段として機能させ、前記表示制御手段では、前記第１の画像選択画面又は前記第２の画像選択画面の少なくとも一方の特定の画像に対応付けて、該画像の元となる画像データから取得した前記日付情報を表示させる構成とすることもできる。
【００１７】
また、本発明の制御装置は、記憶手段又は記録媒体から複数の画像データを読み取る手段と、前記複数の画像データの中から特定の処理に利用する画像データを選択させるための画面を表示手段に表示させる表示制御手段とを備える制御装置において、前記表示制御手段では、少なくとも、第１のコマ数の画像が予め定められた配列順序で表示される第１の画像選択画面と、前記第１のコマ数よりも少ない第２のコマ数の画像が表示される第２の画像選択画面とを順次表示させるものである。
【００１８】
また、本発明の制御装置は、記憶手段又は記録媒体から複数の画像データを読み取る手段と、前記複数の画像データの中から特定の処理に利用する画像データを選択させるための画面を表示手段に表示させる表示制御手段とを備える制御装置において、前記表示制御手段では、少なくとも、第１のコマ数の画像が予め定められた配列順序で表示される第１の画像選択画面と、前記第１のコマ数よりも少ない第２のコマ数の画像が表示される第２の画像選択画面とを一つの画面の分割された各々の領域に並べて表示させるものである。
【００１９】
このように、本発明によれば、第１のコマ数（好ましくは読み取った画像データの総数）の画像が所定の配列順序で表示された第１の画像選択画面を用いて、所望の画像データを大まかに特定することができ、第１のコマ数よりも少ない第２のコマ数の画像が表示された第２の画像選択画面を用いて、所望の画像データを詳細に特定することができるため、所望の画像データを簡単かつ確実に選択することができる。
【００２０】
また、第１の画像選択画面や第２の画像選択画面を表示させる際に、各々の画像に対応付けて、表示やプリント作成の履歴情報に基づいて特定される頻度が識別可能に表示され、また、特定の画像に対応付けて、該画像の元となる画像ファイルの撮影日時や作成日時などの日時情報が表示されるため、所望の画像データをより簡単に選択することができる。
【発明の効果】
【００２１】
本発明の表示制御プログラム及び制御装置によれば、一定のコマ数の画像が表示される画面を用いる場合に比べて、所望の画像データを簡単かつ確実に選択することができる。
【００２２】
その理由は、記憶手段や記録媒体から読み取った複数の画像データの中から、写真プリントの作成などの特定の処理に利用する画像データを選択させるための画面を表示手段に表示させる際に、第１のコマ数（好ましくは読み取った画像データの総数）の画像が所定の配列順序で表示された第１の画像選択画面と、第１のコマ数よりも少ない第２のコマ数の画像が表示された第２の画像選択画面とが、順次又は一つの画面の分割された各々の領域に表示されるため、第１の画像選択画面を用いて所望の画像データを大まかに特定し、第２の画像選択画面を用いて所望の画像データを詳細に特定することができるからである。
【００２３】
また、第２の画像選択画面を表示させる際に、各々の画像を第１の画像選択画面と同じ配列順序で表示したり、第１の画像選択画面における画像の配置を維持して表示したり、第１画像選択画面や第２の画像選択画面を表示する際に、各々の画像に対応付けて、表示やプリント作成の履歴情報に基づいて特定される頻度を識別可能に表示したり、特定の画像に対応付けて、該画像の元となる画像ファイルの撮影日時や作成日時などの日時情報を表示する制御が行われるからである。
【発明を実施するための最良の形態】
【００２４】
本発明に係る制御装置は、その好ましい一実施の形態において、ハードディスクや記録媒体などから複数の画像データを読み取る入出力制御手段と、必要に応じて、画像データのヘッダ情報や特定の情報ファイルの記述を参照して、該画像データの撮影日時や作成日時などの日時情報を取得する日時情報取得手段と、必要に応じて、各々の画像データに対する表示手段に表示した履歴や写真プリントを作成した履歴などの履歴情報を生成する履歴情報生成手段と、複数の画像データの中から写真プリントの作成などの特定の処理に利用する画像データを選択させるための画面を表示させる際に、第１のコマ数の画像を配列表示する第１のプリント画像選択画面と、第１のコマ数よりも少ない第２のコマ数の画像を配列表示する第２のプリント画像選択画面とを順次又は一つの画面の分割された各々の領域に表示させる制御や、第１のプリント画像選択画面や第２のプリント画像選択画面を表示する際に、各々の画像に対応付けて履歴情報に基づいて特定される頻度を識別可能に表示したり、特定の画像に対応付けて該画像の元となる画像ファイルの日時情報を表示する制御などを行う表示制御手段とを少なくとも備える。これにより、一定のコマ数の画像が表示される画面を用いる場合に比べて、所望の画像データを簡単かつ確実に選択することができる。
【実施例】
【００２５】
上記した実施の形態について詳細に説明すべく、本発明の一実施例に係る表示制御プログラム及び制御装置について、図１乃至図２３を参照して説明する。図１は、本実施例に係る制御装置の構成を模式的に示す図であり、図２乃至図６は、そのバリエーションを示す図である。また、図７は、制御装置の機能を示すブロック図であり、図８は、画像データを記録する手順を示すフローチャート図、図９は、画像データを写真プリントなどを作成する手順を示すフローチャート図である。また、図１０は、ハードディスクにおけるデータの記録構造を示す図であり、図１１及び図１２は、記録媒体におけるデータの記録構造を示す図である。また、図１３は記録媒体におけるデータの記録領域を示す図であり、図１４は、記録媒体（ＣＤ−Ｒ）の構造を模式的に示す図、図１５乃至図２３は、制御装置の表示手段に表示される画面の構成例を示す図である。
【００２６】
図１に示すように、本実施例の制御装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１１を介してサーバ１２に接続するネットワーク接続部、画像データを保存する内蔵又は外付けハードディスク１０、記録媒体９を装填する記録媒体装填部４、ボタン、キーボード、マウス等の操作手段６及びＬＣＤ、ＣＲＴ等の表示手段５などを備え、制御装置１に写真プリントなどを作成するためのプリンタ１８が接続されている。
【００２７】
また、制御装置１に備える主な手段をブロック図で示すと図７のようになり、メディア装填部２や機器接続部３、ネットワーク接続部などを用いて画像データ（静止画像データ、動画データ、画像情報を含むデータを総称して画像データと呼ぶ。）を読み取ったり、ハードディスク１０や記録媒体装填部４に装填された記録媒体９に画像データを記録したり、ハードディスク１０や記録媒体９から画像データを読み取ったり、プリンタ１８に画像データやプリント指示情報などを送信するなどの制御を行う入出力制御手段１３と、各々の画像データのヘッダ情報や特定の情報ファイルの記述を参照して、該画像データの撮影日時や作成日時などの日時情報を取得する日時情報取得手段１４と、画像データに基づいて特定のファイル形式（例えば、ＭＰＥＧ１形式又はＭＰＥＧ２形式）の動画データを生成し、該動画データに基づいて家電機器で利用可能なファイル形式（例えば、Ｖｉｄｅｏ−ＣＤ形式、ＤＶＤ−Ｖｉｄｅｏ形式、ＨＤＴＶ形式など）のデータ（家電機器用データ）を生成するデータ生成手段１５と、表示手段５に後述する第１のプリント画像選択画面や第２のプリント画像選択画面などを表示させる制御を行う表示制御手段１６と、各々の画像データに対する表示手段５に表示した履歴や写真プリントを作成した履歴などを示す履歴情報を生成する履歴情報生成手段１７と、表示手段５及び操作手段６とを備えている。
【００２８】
なお、上記各手段は制御装置１にハードウェアとして構成されていてもよいし、コンピュータを、少なくとも、表示制御手段１６、又は、履歴情報生成手段１７及び表示制御手段１６、又は、日時情報取得手段１４及び表示制御手段１６として機能させる表示制御プログラムとして構成し、該表示制御プログラムを制御装置１にインストールして実行する構成とすることができる。また、図１では制御装置１としてパーソナルコンピュータなどのコンピュータ機器を示しているが、制御装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターとしたり、図５に示すように演算処理機能を備えたＤＶＤレコーダやＨＤＤレコーダとしたり、図６に示すように、ハードディスク１０を備えた端末と画像データの読み取りや書き込みを行う本体とが分離可能な携帯機器としたり、演算処理機能を備えたカーナビゲーション機器などとすることもできる。また、図１乃至図７では、制御装置１に、画像データを記録させるための機能と画像データを用いた処理（例えば、写真プリントの作成など）を実行させるための機能とを備えた構成を示しているが、これらの機能を別々の装置で実現する構成してもよい。
【００２９】
まず、上記構成の制御装置１を用いて、メディア８やデジタルカメラ７などに記録された画像データをハードディスク１０や記録媒体９などに記録する手順について、図８のフローチャート図を参照して説明する。
【００３０】
本実施例の制御装置１を起動すると、ステップＳ１０１で、表示制御手段１６は、表示手段５に、図１５に示すようなメニュー画面１９を表示させる。このメニュー画面１９には、画像データを記録する処理を行うか、予め記録された画像データを利用した処理（ここでは画像データをプリントする処理）を行うかを選択するためのボタンが設けられており、ステップＳ１０２で、ユーザが”画像データの記録”を指示すると、表示手段５に画像データを記録するまでの手順が表示された画面や画像データの読み取り先を選択する画面が表示される。そして、所望の読み取り先を選択すると、表示手段５に、例えばメディア８をメディア装填部２に装填、又はデジタルカメラ７を機器接続部３に接続するように促すメッセージが表示される。
【００３１】
次に、ステップＳ１０３で、メッセージの指示に従って、例えば制御装置１のメディア装填部２にメディア８を装填、又は機器接続部３にデジタルカメラ７を接続すると、ステップＳ１０４で、入出力制御手段１３は、メディア８やデジタルカメラ７などから画像データを読み取る。ここで、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１１を介して接続されるサーバ１２などであってもよい。
【００３２】
そして、画像データの読み取りが終了すると、ステップＳ１０５で、表示制御手段１６は、表示手段５に、例えば図１６に示すような記録画像選択画面２０を表示させる。この記録画像選択画面２０には、読み取った画像データに基づく画像を一覧表示する一覧表示欄２１と、その中から選択した画像を拡大表示する拡大表示欄２２と、作業を選択する作業メニュー欄２３とが設けられており、ステップＳ１０６で、一覧表示欄２１で選択した画像を拡大表示欄２２で回転するなどして画像データを選択した後、必要に応じて、作業メニュー欄２３を操作して所定の画面を表示させ、画像の順番を変えたり、タイトルを入力したり、フォトフレームを作成したり、画像に文字を合成させたり、ＢＧＭとして再生する音楽データを選択したり、スライドショーの確認などの処理を行う。
【００３３】
次に、画像データに基づく画像をスライドショーとして表示させるための家電機器用データを生成する場合は、ステップＳ１０７で、必要に応じて、データ生成手段１５を用いて、選択された画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。また、必要に応じて、データ生成手段１５を用いて、読み取った画像データのデータサイズを縮小したサムネイル画像データやスクリーンネイル画像データなどの縮小画像データを作成する。
【００３４】
次に、ステップＳ１０８で、必要に応じて、データ生成手段１５を用いて、読み取った画像データや生成した縮小画像データなどに関連する情報（例えば、これらの画像データの撮影日時や作成日時などの日時情報、画像データが記録される場所を示すパス名やこれらの画像データが格納されるフォルダの名称、これらの画像データに付与されるファイル名など）が記述された情報ファイルを作成する。この情報ファイルの形式は任意であり、後述するデータ生成手段１５が利用可能であればよく、例えば、テキスト形式のファイルとしてもよいし、写真業界で推奨されている専用のファイル（ｐｖｍ形式のファイル）としてもよいし、メタデータなどとしてもよい。
【００３５】
次に、作業メニュー欄２３の”データを書き込む”を選択すると、ステップＳ１０９で、入出力制御手段１３は、読み取った画像データや必要に応じて生成した家電機器用データ、縮小画像データ、情報ファイルなどをハードディスク１０や記録媒体９に記録する。その際、記録媒体９に記録する場合、家電機器ではデータを読み込むことができる記録領域が限定されるため、生成した家電機器用データを記録媒体９の論理アドレス領域の内周側の領域に記録した後、読み取った画像データや縮小画像データ、情報ファイルなどをその外側の領域に記録する。なお、上記論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まない領域である。
【００３６】
上記手順で作成された記録媒体９は、例えば、図１３に示すように各種データが記録され、ディスク型記録媒体９の最内周の論理アドレス領域外（上記論理アドレス領域以外の領域であって論理アドレス領域よりも内周側に位置する領域）には必要に応じて所定の識別情報が記録され、その外周に位置する論理アドレス領域の内周側の領域には必要に応じて家電機器用データが記録され、更に家電機器用データの外周側の領域には画像データや縮小画像データなどのコンピュータ機器用データが記録される。
【００３７】
また、ハードディスク１０又は記録媒体９のディレクトリ構造は図１０又は図１１に示すようになり、画像データの格納場所を示すフォルダ（PS_Rollフォルダ）の中に、画像データや縮小画像データ、情報ファイル（index.pvm）などのコンピュータ機器用データが格納される。このディレクトリ構造やファイル名は任意であるが、画像データを記録媒体９などにバックアップした場合における管理を容易にするために、画像データの格納場所を示すフォルダ（PS_Roll）の下位の階層にメディア８毎、機器毎、フィルム毎のデータの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々のデータをCCYYMMDDxxxxxx（CC：データの種別、YYMMDD：書き込み年月日を特定する数字、xxxxxx：シーケンシャル番号）などにリネームしてもよい。
【００３８】
また、家電機器用データとしてＶｉｄｅｏ−ＣＤ形式のデータを生成した場合の記録媒体９のディレクトリ構造は図１２（ａ）に示すようになり、上記コンピュータ機器用データに加えて、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどの家電機器用データが記録され、ＤＶＤ−Ｖｉｄｅｏ形式のデータを生成した場合は、図１２（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などの家電機器用データが記録される。
【００３９】
次に、上記手順でハードディスク１０や記録媒体９などに記録された画像データを用いて特定の処理を実行する手順について、図９のフローチャート図を参照して説明する。なお、以下の説明では、ハードディスク１０や記録媒体９などに記録された画像データの中から選択した画像データを用いて写真プリントを作成する場合について示すが、選択した画像データを用いて他の処理を実行する場合でも同様である。
【００４０】
まず、本実施例の制御装置１を起動すると、ステップＳ２０１で、表示制御手段１６は、表示手段５に、例えば図１５に示すようなメニュー画面１９を表示させ、ステップＳ２０２で、ユーザはメニュー画面１９中の”プリントの作成”を選択して、画像データを用いた写真プリントの作成を指示する。
【００４１】
次に、ステップＳ２０３で、写真プリントの作成に利用する画像データが記録されている保存先を選択し、ハードディスク１０を選択した場合は、ステップＳ２０６で、ハードディスク１０の所定の領域（例えば、画像データが図１０に示すようなフォルダ構造で記録されている場合はＲＯフォルダ）に記録されている画像データを読み取る。なお、読み取る画像データはオリジナルの画像データ（図１０のフォルダ構造の場合はＲＯフォルダ直下の画像データ）としてもよいし、このステップではサムネイル画像データやスクリーンネイル画像データを読み取り、プリントの作成に利用する画像データが特定された後に対応するオリジナルの画像データを読み取る構成としてもよい。
【００４２】
また、画像データの保存先として記録媒体９を選択した場合は、表示手段５に記録媒体９を記録媒体装填部４に装填するように促すメッセージが表示され、ステップＳ２０４で、該メッセージに従って記録媒体装填部４に記録媒体９を装填する。この記録媒体９として、市販されている任意の記録媒体を用いることができるが、特定の記録媒体９のみ利用できるようにしてもよく、その場合は、ステップＳ２０５で記録媒体９の所定の領域に記録媒体９を識別するための識別情報が記録されているか否かに基づいて記録媒体９を特定することができる。この識別情報の内容は限定されず、記録媒体９の製造者に対応するコード（製造者コード、通称Ｍコード）や記録媒体９の規格に対応するコード（タイプコード、通称Ｔコード）などとすることができる。また、上記識別情報は適正な記録媒体に対してデータの読み取りを許可するために設けるものであり、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。
【００４３】
ここで、一般的な記録媒体９の構造について、図１４を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００４４】
そして、ステップＳ２０６で、ハードディスク１０の場合と同様に、記録媒体９の所定の領域（例えば、画像データが図１１又は図１２に示すようなフォルダ構造で記録されている場合はＲＯフォルダ）に記録されているオリジナルの画像データ又はサムネイル画像データやスクリーンネイル画像データなどの縮小画像データを読み取る。
【００４５】
次に、読み取った画像データを表示手段５に表示させるが、従来の制御装置１では、読み取った画像データの中から写真プリントの作成に利用する画像データを選択させるためのプリント画像選択画面を表示させる際に、該プリント画像選択画面には読み取った画像データの数量にかかわらず、予め定められた一定のコマ数（例えば、横５コマ、縦４コマの２０コマ）の画像が表示され、ユーザは画面をスクロールさせたり、ページめくりボタンを操作するなどして所望の画像を選択していたため、所望の画像データの選択に時間がかかり、特に、画像データが撮影日時の昇順（すなわち、古い順）に表示される場合には、最近撮影した画像データを選択するために何度もスクロール操作やページめくり操作をしなければならず、所望の画像データを簡単に選択することができないという問題があった。
【００４６】
ここで、写真プリントの作成を依頼する場合、いつ頃撮影された画像データを利用するか、どのようなイベントで撮影された画像データを利用するかなどは予め決められている場合が多く、また、読み取った画像データを配列した時に所望の画像データがどのあたりにあるかが分かっている場合が多い。そこで、本実施例の制御装置１では、写真プリントの作成に利用する画像データを選択させるためのプリント画像選択画面を一定のコマ数の画像を配列して構成するのではなく、コマ数の異なる２以上の画面（第１のコマ数の第１のプリント画像選択画面と、第１のコマ数よりも少ない第２のコマ数の第２のプリント画像選択画面など）で構成し、第１のプリント画像選択画面で所望の画像データを大まかに特定し、第２のプリント画像選択画面で所望の画像データを詳細に特定することにより、所望の画像データを簡単かつ確実に選択できるようにしている。
【００４７】
具体的に説明すると、ステップ２０７で、表示制御手段１６は、表示手段５に、例えば図１７に示すような第１のプリント画像選択画面２４を表示させる。この第１のプリント画像選択画面２４には、ハードディスク１０又は記録媒体９から読み取った画像データの内の第１のコマ数のコマ画像２５が、予め定められた配列順序（ファイル名の昇順／降順、撮影日時の昇順／降順など、ここでは配列順序を分かりやすくするために各々のコマ画像２５に番号を記載している。）で表示されている。なお、第１のコマ数は特に限定されないが、本実施例では第１のプリント画像選択画面２４で所望の画像データを大まかに特定できるようにすることを特徴としていることから、第１のコマ数はできるだけ多い方がよく、読み取った画像データの総数とすることが好ましい。但し、読み取った画像データが多数の場合は各々のコマ画像２５が小さくなって内容が識別できなくなることから、各々のコマ画像２５の内容が識別できる程度の大きさとなるように第１のコマ数を設定することもできる。また、第１のコマ数が画像データの総数よりも小さい場合は、スクロール操作やページめくり操作によって任意の画像が表示できるようにしてもよい。
【００４８】
次に、ステップＳ２０８で、各々のコマ画像２５の内容及び画面上での配置などを参照して写真プリントの作成に利用する画像データを大まかに特定し、対応するコマ画像２５を選択して”決定ボタン”を押すと、ステップＳ２０９で、表示制御手段１６は、表示手段５に、例えば図１８に示すような第２のプリント画像選択画面２６を表示させる。この第２のプリント画像選択画面２６には、第１のプリント画像選択画面２４で選択されたコマ画像及びその前後のコマ画像（図の破線で示した枠内のコマ画像）が、第１のコマ数よりも少ない第２のコマ数で表示される。なお、第２のコマ数は第１のコマ数よりも少なければよく、その数値は特に限定されないが、本実施例では第２のプリント画像選択画面２６で所望の画像データを確実に選択できるようにする必要があることから、各々のコマ画像２５の内容が詳細に認識できる程度の大きさとなるように第２のコマ数を設定することが好ましい。
【００４９】
そして、ステップＳ２１０で、第２のプリント画像選択画面２６に表示されたコマ画像２５の中から、写真プリントの作成に利用するコマ画像２５を個々に選択して”決定ボタン”を押して写真プリントの作成に利用する画像データを選択する。その後、写真プリントのサイズや枚数などを入力し、ステップＳ２１１で、制御装置１に接続されたプリンタ１８に、選択されたコマ画像２５の基となる画像データとプリント指示情報とを送信し、プリンタ１８で所望の写真プリントを作成する。
【００５０】
なお、図１８では、第２のプリント画像選択画面２６で、第１のプリント画像選択画面２４で選択された基準となるコマ画像２５及びその前後のコマ画像２５（選択されたコマ画像２５がＮｏ．３５の場合に、Ｎｏ．２３〜Ｎｏ．４７のコマ画像２５）を表示させたが、図１９に示すように、選択された基準となるコマ画像２５及びその近傍の領域のコマ画像２５（Ｎｏ．３５のコマ画像２５を中心にした５行５列のコマ画像２５）を、第１のプリント画像選択画面２４の画像の配置を維持して表示させる構成としてもよい。この構成の場合、第１のプリント画像選択画面２４における画像の配置のまま各々の画像を拡大することができるため、カメラで画像をズームするような操作が可能となる。
【００５１】
また、上記説明では、第１のコマ数の第１のプリント画像選択画面２４を表示させた後に、第２のコマ数の第２のプリント画像選択画面２６を表示させたが、更に、図２０に示すように、第２のプリント画像選択画面２６で選択された基準となるコマ画像２５及びその前後又はその近傍の領域の第３のコマ数（第２のコマ数よりも少ないコマ数）の第３のプリント画像選択画面２７を表示させる構成としてもよい。
【００５２】
また、上記説明では、第１のプリント画像選択画面２４や第２のプリント画像選択画面２６を表示させる際に、各々の画像データの画像のみを表示させたが、写真プリントの作成に利用する画像データは、ハードディスク１０や記録媒体９に記録された画像データの中でも利用価値の高い画像データであり、表示手段５に頻繁に表示されたり、以前に写真プリントの作成が行われている場合が多いと考えられることから、各々のコマ画像２５に対応付けて、表示やプリント作成の頻度を識別可能に表示することにより画像データの選択を更に容易にすることもできる。
【００５３】
その場合は、履歴情報生成手段１７を用いて、各々の画像データの画像を個別に表示した場合（例えば、図１６の拡大表示欄２２に表示した場合など）や、写真プリントを作成した場合などに、該画像データを特定する情報（ファイル名など）と、表示やプリント作成の履歴とを対応付けた履歴情報を生成し、表示制御手段１６では第１のプリント画像選択画面２４や第２のプリント画像選択画面２６を表示させる際に、各々の画像に対応付けて、履歴情報に基づいて特定される表示やプリント作成の頻度を識別可能に表示する構成とする。なお、この頻度の表示方法は任意であり、例えば、図２１に示すように、表示やプリント作成の頻度に応じてコマ画像２５周囲の枠の太さを変えたり、コマ画像２５周囲の領域の色を変えたり、印を付けるなどとすることができる。
【００５４】
このように表示やプリント作成の頻度に応じて各々のコマ画像２５を識別可能にすることにより、ユーザは画面を一見して頻繁に表示又は以前に写真プリントを作成しているコマ画像２５を選別することができるため、写真プリントの作成に利用する画像データを容易に選択できるようになる。なお、ここでは履歴情報に基づく表示やプリント作成の頻度を参照してユーザ自身が画像データを選択する構成としているが、ユーザが写真プリントの作成に利用する画像データの数量を入力すると、この履歴情報を参照して表示頻度の高い順に画像データが自動的に選択されるようにしてもよい。
【００５５】
また、撮影日時や作成日時などの日時情報は画像データを選択する上で重要な手がかりとなることから、特定の画像に対応付けてその画像に関連する日時情報を表示することにより画像データの選択を容易にすることもできる。その場合は、日時情報取得手段１４を用いて、読み取った画像データのヘッダ情報や特定の情報ファイルの記述を参照して該画像データの撮影日時や作成日時などの日時情報を取得し、図２２に示すように、第１のプリント画像選択画面２４又は第２のプリント画像選択画面２６における特定のコマ画像２５（例えば、各行の先頭などの特定の位置のコマ画像２５や、１０コマ毎などの特定のコマ数毎のコマ画像２５など）に対応付けて取得した日時情報を表示（ここでは各行の先頭のコマ画像２５に対応付けて表示）する構成とすることができる。このように特定のコマ画像２５に対応付けて日時情報を表示することにより、日時情報に基づいて所望の画像データを簡単に選択できるようになる。
【００５６】
また、上記説明では、第１のプリント画像選択画面２４と第２のプリント画像選択画面２６とを別々の画面として表示する例を示したが、これらの画面を一つの画面として表示手段５に表示させることもできる。例えば、図２３に示すように、プリント画像選択画面２８を２つの領域に分割し、一方の領域（図では左側の領域）に第１のコマ数のコマ画像２５が予め定められた配列順序で表示される第１のプリント画像選択画面２４を表示し、他方の領域（図では右側の領域）に第２のコマ数のコマ画像２５が表示される第２のプリント画像選択画面２６を表示することもできる。この構成の場合、各々のコマ画像２５の大きさが小さくなるため画像の内容を判別しにくくなるが、第１のプリント画像選択画面２４と第２のプリント画像選択画面２６とが対比しやすくなり、また、第１のプリント画像選択画面２４と第２のプリント画像選択画面２６との間で画面を遷移させる必要がなくなるため、所望の画像データの選択作業を更に容易にすることができる。
【００５７】
このように、本実施例によれば、ハードディスク１０や記録媒体９に記録された画像データを用いて写真プリントの作成などの特定の処理を行う場合に、処理の対象となる画像データを選択させるための画面を、少なくとも、第１のコマ数のコマ画像２５が表示される画面（第１のプリント画像選択画面２４など）と、第１のコマ数よりも少ない第２のコマ数のコマ画像２５が表示される画面（第２のプリント画像選択画面２６など）とで構成し、第１のプリント画像選択画面２４で所望の画像データを大まかに選択させ、第２のプリント画像選択画面２６で所望の画像データを詳細に選択させることにより、画像データの選択を簡単かつ確実に行うことができる。
【００５８】
なお、上記実施例では、ハードディスク１０又は記録媒体９に記録された画像データの中から写真プリントを作成する画像データを選択する場合について記載したが、本発明は上記実施例に限定されるものではなく、メディア８に記録された画像データに中から記録する画像データを選択させる場合など、任意の記録手段に記録された画像データの中から所定の処理に利用する画像データを選択する場合について同様に適用することができる。
【図面の簡単な説明】
【００５９】
【図１】本発明の一実施例に係る制御装置の構成を模式的に示す図である。
【図２】本発明の一実施例に係る制御装置のバリエーションを示す図である。
【図３】本発明の一実施例に係る制御装置のバリエーションを示す図である。
【図４】本発明の一実施例に係る制御装置のバリエーションを示す図である。
【図５】本発明の一実施例に係る制御装置のバリエーションを示す図である。
【図６】本発明の一実施例に係る制御装置のバリエーションを示す図である。
【図７】本発明の一実施例に係る制御装置の機能を示すブロック図である。
【図８】本発明の一実施例に係る画像データの記録手順を示すフローチャート図である。
【図９】本発明の一実施例に係る写真プリントの作成手順を示すフローチャート図である。
【図１０】ハードディスクにおける画像データの記録構造を示す図である。
【図１１】記録媒体における画像データの記録構造を示す図である。
【図１２】記録媒体における画像データの他の記録構造を示す図である。
【図１３】記録媒体における画像データの記録領域を示す図である。
【図１４】記録媒体（ＣＤ−Ｒ）の構造を模式的に示す図である。
【図１５】本発明の一実施例に係る制御装置の表示手段に表示される画面例（メニュー画面）を示す図である。
【図１６】本発明の一実施例に係る制御装置の表示手段に表示される画面例（画像選択画面）を示す図である。
【図１７】本発明の一実施例に係る制御装置の表示手段に表示される画面例（第１のプリント画像選択画面）を示す図である。
【図１８】本発明の一実施例に係る制御装置の表示手段に表示される画面例（第２のプリント画像選択画面）を示す図である。
【図１９】本発明の一実施例に係る制御装置の表示手段に表示される第２のプリント画像選択画面のバリエーションを示す図である。
【図２０】本発明の一実施例に係る制御装置の表示手段に表示される画面例（第３のプリント画像選択画面）を示す図である。
【図２１】本発明の一実施例に係る制御装置の表示手段に表示される第１のプリント画像選択画面のバリエーションを示す図である。
【図２２】本発明の一実施例に係る制御装置の表示手段に表示される第１のプリント画像選択画面のバリエーションを示す図である。
【図２３】本発明の一実施例に係る制御装置の表示手段に表示される画面例（プリント画像選択画面）を示す図である。
【符号の説明】
【００６０】
１  制御装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  ハードディスク
１１  通信ネットワーク
１２  サーバ
１３  入出力制御手段
１４  日時情報取得手段
１５  データ生成手段
１６  表示制御手段
１６  履歴情報記憶手段
１７  履歴情報記憶手段
１８  プリンタ
１９  メニュー画面
２０  画像選択画面
２１  一覧表示欄
２２  拡大表示欄
２３  作業メニュー欄
２４  第１のプリント画像選択画面
２５  コマ画像
２６  第２のプリント画像選択画面
２７  第３のプリント画像選択画面
２８  プリント画像選択画面
１００  ポリカーボネート基板
１０１  有機色素層
１０２  反射層
１０３  保護層
【図１】
2006195804.tif 000003
【図２】
2006195804.tif 000004
【図３】
2006195804.tif 000005
【図４】
2006195804.tif 000006
【図５】
2006195804.tif 000007
【図６】
2006195804.tif 000008
【図７】
2006195804.tif 000009
【図８】
2006195804.tif 000010
【図９】
2006195804.tif 000011
【図１０】
2006195804.tif 000012
【図１１】
2006195804.tif 000013
【図１２】
2006195804.tif 000014
【図１３】
2006195804.tif 000015
【図１４】
2006195804.tif 000016
【図１５】
2006195804.tif 000017
【図１６】
2006195804.tif 000018
【図１７】
2006195804.tif 000019
【図１８】
2006195804.tif 000020
【図１９】
2006195804.tif 000021
【図２０】
2006195804.tif 000022
【図２１】
2006195804.tif 000023
【図２２】
2006195804.tif 000024
【図２３】
2006195804.tif 000025